(57)【要約】      （修正有）【課題】有効に電磁波漏れを防止することができる電磁波漏れを防止するためのケーブル用コネクターを提供する。【解決手段】筒状本体２２と、印刷回路板（ＰＣＢ）に固定することができるＵ型コネクター２３と、を有する本体ユニット２１と、前記筒状本体２２に固定される横向芯部と、該当ＰＣＢへ接続することによって、電気的に接続する縦向接続部接触導体と、前記筒状本体２２内に配置され、前記本体ユニットと接触導体の間隔を維持するとともに、前記接触導体を支持する絶縁ユニット３０と、前記Ｕ型コネクター２３上に掛止され、前記Ｕ型コネクター２３の開口部を完全に遮蔽することにより電磁波漏れを防止する遮蔽カバー５０を具備して電磁波漏れを防止するためのケーブル用コネクター２０を構成する。【選択図】図３
0003147727.tif 000002
【実用新案登録請求の範囲】
【請求項１】
印刷回路板（ＰＣＢ）上に、係止するのに用いられる電磁波漏れを防止するためのケーブル用コネクターであって、筒状本体と、前記印刷回路板（ＰＣＢ）に固定されるＵ型コネクターとを含む本体ユニットと、前記筒状本体に固定される横向芯部と、該当ＰＣＢへ接続できる縦向接続部によって電気的に接続する接触導体と、前記筒状本体内に配置され、前記本体ユニットと接触導体の間隔を維持するとともに、前記接触導体を支持する絶縁ユニットと、前記Ｕ型コネクター上に掛止され、前記Ｕ型コネクターの開口部を完全に遮蔽することにより電磁波漏れを防止する遮蔽カバーを具備したことを特徴とする電磁波漏れを防止するためのケーブル用コネクター。
【請求項２】
前記筒状本体とＵ型コネクターが、一体成型されたことを特徴とする請求項１に記載の電磁波漏れを防止するためのケーブル用コネクター。
【請求項３】
前記遮蔽カバーは、前記Ｕ型コネクターの上方開口部を遮蔽する基板を有し、前記基板の四辺は、下に向かって折り曲げられることにより、前記Ｕ型コネクターの後方開口部を遮蔽することができる遮蔽板を形成したことを特徴とする請求項１に記載の電磁波漏れを防止するためのケーブル用コネクター。
【請求項４】
前記基板は、さらに前記Ｕ型コネクターと密着する複数の爪と、前記Ｕ型コネクターの両側で、それぞれ掛止する弾性板を有することを特徴とする請求項３に記載の電磁波漏れを防止するためのケーブル用コネクター。
【考案の詳細な説明】
【技術分野】
【０００１】
本考案は、電磁波漏れを防止するためのケーブル用コネクターに関するものである。
【背景技術】
【０００２】
図１，２に、半田付けで印刷回路板（ＰＣＢ）上に固定する従来のケーブル用コネクター１０を示す。前記ケーブル用コネクター１０は、内部に、第一絶縁ユニット１３と第二絶縁ユニット１４を配置する通孔部１２を有する筒状本体１１を具備する。筒状本体１１の後部には複数の爪１５が通孔部１２の周囲に等間隔で形成される。
【０００３】
前記ケーブル用コネクター１０は、さらに穴１８と、穴１８の周囲とに形成され、前記筒状本体１１の突出部１５に互いに対応する複数の接合溝１９を有する板１７を具備する。筒状本体１１の突出部１５をコネクター１６の接合溝１９に挿入し、リベットによって、筒状本体１１とコネクター１６を連結する。
【０００４】
前記ケーブル用コネクター１０は、さらに、横向芯部１１２と、縦向接続部１１３を具備する直角状接触導体１１１を有する。芯部１１２は、第一絶縁ユニット１３と、第二絶縁ユニット１４の穴内に密着結合され、接続部１１３をＰＣＢの導電線に接続することにより、接続導体１１１を電気的に接続する。
【０００５】
これにより、前記接触導体１１１の一部の長さは、前記Ｕ型コネクター１６から露出するので、電磁波干渉（Ｅｌｅｃｔｒｏｍａｇｎｅｔｉｃ  Ｉｎｔｅｒｆｅｒｅｎｃｅ，ＥＭＩ）が発生し、通信が干渉を受け、人体に影響を与える。電磁波干渉の発生は、Ｕ型コネクター１６に遮蔽（ｓｈｉｅｌｄｉｎｇ）ユニットが存在しないことによるもので、この欠点を補う必要がある。
【考案の開示】
【考案が解決しようとする課題】
【０００６】
そこで、本考案は、有効に電磁波漏れを防止することができるケーブル用コネクターを提供する事を目的とするものである。
【課題を解決するための手段】
【０００７】
上記の目的を達するため、本考案の電磁波漏れを防止するためのケーブル用コネクターは、筒状本体と、印刷回路板（ＰＣＢ）に固定することができるＵ型コネクターとを有する本体ユニットと、前記筒状本体に固定される横向芯部と、前記印刷回路板（ＰＣＢ）へ接続することによって電気的に接続する縦向接続部接触導体と、前記筒状本体内に配置され、前記本体ユニットと接触導体の間隔を維持するとともに、前記接触導体を支持する絶縁ユニットと、前記Ｕ型コネクター上に掛止され、前記Ｕ型コネクターの開口部を完全に遮蔽することにより電磁波漏れを防止する遮蔽カバーを具備したものとしている。
【考案の効果】
【０００８】
よって、本考案の電磁波漏れを防止するためのケーブル用コネクターは、前記遮蔽カバーが前記Ｕ型コネクターと掛止する時、遮蔽カバーはＵ型コネクターの開口部を完全に遮蔽することができるため、従来のケーブル用コネクターの電磁波漏れの問題を解決できる。
【考案を実施するための最良の形態】
【０００９】
図３から図５に示すように、本考案の電磁波漏れを防止するためのケーブル用コネクター２０は、本体ユニット２１と、絶縁ユニット３０と、接触導体４０と、遮蔽カバー５０とを含む。前記ケーブル用コネクター２０は、ＰＣＢ６０上（図６）に、半田付けによって固定される。
【００１０】
前記本体ユニット２１は、金属材質で製成され、筒状本体２２と、筒状本体２２と一体形成されるＰＣＢ上に固定されるＵ型コネクター２３とを有する。筒状本体２２の内部には、絶縁ユニット３０を受け入れる穴２４を有する。筒状本体２２の外部には、ねじ接続をする接続器により、機械的、電気的に電気接続できるねじ切り２５を有する。コネクター２３は、筒状本体２２と接続する板２６を有する。左、右側板２７，２８は、それぞれ板２６の末端に接続される。
【００１１】
前記コネクター２３は、さらに板２６から後方に突出する定位突起２３１と、左、右側板２７，２８から後方に突出する係止突起２３２を具備する。定位突起２３１及び係止突起２３２は、それぞれＰＣＢ６０の穴６１，６２内に収められることにより、ＰＣＢ上の導電線に接続され、図６に示すように、本体ユニット２１を接地させる。
【００１２】
前記絶縁ユニット３０は、前記筒状本体２２の穴２４の前端に位置する第一絶縁ユニット３１と、筒状本体２２の穴２４の後端に位置する第二絶縁ユニット３２とを含む。前記絶縁ユニット３０は、前記本体ユニット２１と前記接触導体４０の間隔を維持する。
【００１３】
前記接触導体４０は、直角状であり、横向芯部４１及び縦向接続部４２を有する。芯部４１を前記第一絶縁ユニット３１及び前記第二絶縁ユニット３２の穴に挿入し、接続部４２を前記ＰＣＢ６０の穴６３に貫通させ、ＰＣＢの導電線に接続することにより、図６に示すように、接触導体４０を電気的に接続する。
【００１４】
遮蔽カバー５０は、Ｕ型コネクター２３上に掛止され、コネクター２３の上方開口部を遮蔽する長方形基板５１を有し、基板５１の四辺は、押抜方式で下方に折り曲げ製成され、複数の爪５２が、コネクター２３の板２６と密着接触する。弾性板５３はそれぞれ、コネクター２３の左、右側板２７，２８と、弾性掛止される。遮蔽版５４は、コネクター２３の後方開口部を遮蔽する。
【００１５】
前記遮蔽カバー５０が前記Ｕ型コネクター２３と掛止する時、遮蔽カバー５０は、Ｕ型コネクター２３上方及び後方の開口部を完全に遮蔽することができ、従来のケーブル用コネクターの電磁波漏れの問題を解決することができる。
【図面の簡単な説明】
【００１６】
【図１】従来のケーブル用コネクターの断面図である。
【図２】従来のケーブル用コネクターの立体分解図である。
【図３】本考案のケーブル用コネクターの立体図である。
【図４】本考案のケーブル用コネクターの立体分解図である。
【図５】図３の５−５線の断面図である。
【図６】本考案のケーブル用コネクターを印刷回路板に装着する前の選択図である。
【符号の説明】
【００１７】
２０  ケーブル用コネクター
２１  本体ユニット
２２  筒状本体
２３  Ｕ型コネクター
２４  穴
２５  ねじ切り
２６  板
２７  左側板
２８  右側板
２３１  係止突起
２３２  定位突起
３０  絶縁ユニット
３１  第一絶縁ユニット
３２  第二絶縁ユニット
４０  接触導体
４１  芯部
４２  接続部
５０  遮蔽カバー
５１  基板
５２  爪
５３  弾性板
５４  遮蔽板
６０  印刷回路板
６１，６２，６３  穴
【図１】
0003147727.tif 000003
【図２】
0003147727.tif 000004
【図３】
0003147727.tif 000005
【図４】
0003147727.tif 000006
【図５】
0003147727.tif 000007
【図６】
0003147727.tif 000008